(57)【要約】【課題】異なる文字種の文字入力を容易に行うことができる携帯電子機器、携帯電子機器の制御方法及びプログラムを提供すること。【解決手段】文字入力制御部１７２は、第１の入力候補Ａ１として表示部１１に表示されるかな文字「な」への一定時間以上の接触を検出部１２により検出した場合に、当該接触文字「な」と第１の関係を有する同一の文字種の文字及び接触文字「な」と第２の関係を有する異なる文字種の文字を表示部に表示させる。【選択図】図３
2012084086.tif 000002
【特許請求の範囲】
【請求項１】
表示部と、
前記表示部の表面に対応して配され、接触を検出する検出部と、
複数の文字種に対応する文字をそれぞれ記憶する記憶部と、
前記複数の文字種のうちいずれかの文字種の文字を入力するための複数の入力候補を前記表示部に表示させる制御部と、を備え、
前記制御部は、入力候補として前記表示部に表示される前記いずれかの文字種の文字への接触を前記検出部により検出した場合に、当該接触された文字である接触文字と第１の関係を有する同一の文字種の文字及び前記接触文字と第２の関係を有する異なる文字種の文字を前記表示部に表示させる携帯電子機器。
【請求項２】
前記制御部は、前記第１の関係を有する同一の文字種の文字を、前記接触文字を中心とする放射状に表示させ、前記第２の関係を有する異なる文字種の文字を、前記第１の関係を有する文字よりも外側で前記接触文字を中心とする放射状に表示させる請求項１に記載の携帯電子機器。
【請求項３】
前記制御部は、前記第２の関係を有する異なる文字種の文字への接触を前記検出部により検出した場合に、前記入力候補に替えて、当該接触が検出された文字と同一の文字種の文字を入力するための入力候補を前記表示部に表示させる請求項１又は２に記載の携帯電子機器。
【請求項４】
前記制御部は、前記検出部により第１の接触操作が検出された場合に、前記表示部に表示されている前記第１の関係を有する同一の文字種の文字を選択可能とし、前記検出部により第２の接触操作が検出された場合に、前記表示部に表示されている前記第２の関係を有する異なる文字種の文字を選択可能とする請求項１から３のいずれか一項に記載の携帯電子機器。
【請求項５】
前記制御部は、前記検出部により検出される前記接触文字への接触が第１の時間以上継続した場合に、前記第１の関係を有する同一の文字種の文字を前記表示部に表示させる請求項１から４のいずれか一項に記載の携帯電子機器。
【請求項６】
前記制御部は、前記第１の関係を有する同一の文字種の文字を前記表示部に表示させた状態で前記検出部により検出される前記接触文字への接触が第２の時間以上継続した場合に、前記第２の関係を有する異なる文字種の文字を前記表示部に表示させる請求項５に記載の携帯電子機器。
【請求項７】
前記入力候補として前記表示部に表示される前記いずれかの文字種とは、かな文字であり、前記接触文字と前記第１の関係を有する同一の文字種の文字とは、当該接触文字と子音が同一のかな文字である請求項１から６のいずれか一項に記載の携帯電子機器。
【請求項８】
前記複数の文字種に対応する文字が一のキーに対してそれぞれ割り当てられる場合に、前記接触文字と前記第２の関係を有する異なる文字種の文字とは、当該接触文字と同一のキーに割り当てられる当該接触文字とは異なる他の文字を含む請求項１から７のいずれか一項に記載の携帯電子機器。
【請求項９】
前記接触文字と前記第２の関係を有する異なる文字種の文字とは、当該接触文字を頭文字とする画像を含む請求項１から８のいずれか一項に記載の携帯電子機器。
【請求項１０】
複数の文字種のうちいずれかの文字種の文字を表示部に表示させるステップと、
前記いずれかの文字種の文字に対応する箇所への接触を検出部により検出するステップと、
前記表示部に表示される前記いずれかの文字種の文字への接触を前記検出部により検出した場合に、当該接触された接触文字と第１の関係を有する同一の文字種の文字及び前記接触文字と第２の関係を有する異なる文字種の文字を制御部により前記表示部に表示させるステップと、を備える携帯電子機器の制御方法。
【請求項１１】
表示部を有する携帯電子機器のコンピュータを機能させるための制御プログラムであって、
前記コンピュータに、
複数の文字種のうちいずれかの文字種の文字を前記表示部に表示させるステップと、
前記いずれかの文字種の文字に対応する箇所への接触を検出させるステップと、
前記表示部に表示される前記いずれかの文字種の文字への接触を検出した場合に、当該接触された接触文字と第１の関係を有する同一の文字種の文字及び前記接触文字と第２の関係を有する異なる文字種の文字を前記表示部に表示させるステップと、を実行させるための制御プログラム。
【発明の詳細な説明】
【技術分野】
【０００１】
本発明は、表示部への接触を検出可能な携帯電子機器、携帯電子機器の制御方法及びプログラムに関する。
【背景技術】
【０００２】
従来、表示部への接触を検出可能な携帯電子機器において、平仮名文字の「あ段」が割り当てられた仮想的なキーを表示部に表示させた状態で、一の平仮名文字へ接触して、接触された平仮名文字と子音が同一のかな文字の仮想的なキーを、当該接触された平仮名文字の仮想的なキーの周囲に表示させる。そして、表示されたいずれかの平仮名文字の仮想的なキーに対応する箇所へ摺動操作を行うことにより、所望の平仮名文字の入力を行うことが可能であった（例えば、特許文献１参照）。
【先行技術文献】
【特許文献】
【０００３】
【特許文献１】特開２００９−２６６２３６号公報
【発明の概要】
【発明が解決しようとする課題】
【０００４】
しかし、特許文献１に記載の携帯電子機器では、平仮名文字の「あ段」が割り当てられた仮想的なキーを表示部に表示させた状態において、平仮名文字を入力することしかできず、異なる文字種（片仮名文字、英字、数字、記号）を入力するためには、仮想的なキーの表示を切り替える必要があり、操作が煩わしかった。
【０００５】
本発明は、異なる文字種の文字入力を容易に行うことができる携帯電子機器、携帯電子機器の制御方法及びプログラムを提供することを目的とする。
【課題を解決するための手段】
【０００６】
本発明に係る携帯電子機器は、上記課題を解決するために、表示部と、前記表示部の表面に対応して配され、接触を検出する検出部と、複数の文字種に対応する文字をそれぞれ記憶する記憶部と、前記複数の文字種のうちいずれかの文字種の文字を入力するための複数の入力候補を前記表示部に表示させる制御部と、を備え、前記制御部は、入力候補として前記表示部に表示される前記いずれかの文字種の文字への接触を前記検出部により検出した場合に、当該接触された文字である接触文字と第１の関係を有する同一の文字種の文字及び前記接触文字と第２の関係を有する異なる文字種の文字を前記表示部に表示させる。
【０００７】
また、前記制御部は、前記第１の関係を有する同一の文字種の文字を、前記接触文字を中心とする放射状に表示させ、前記第２の関係を有する異なる文字種の文字を、前記第１の関係を有する文字よりも外側で前記接触文字を中心とする放射状に表示させることが好ましい。
【０００８】
また、前記制御部は、前記第２の関係を有する異なる文字種の文字への接触を前記検出部により検出した場合に、前記入力候補に替えて、当該接触が検出された文字と同一の文字種の文字を入力するための入力候補を前記表示部に表示させることが好ましい。
【０００９】
また、前記制御部は、前記検出部により第１の接触操作が検出された場合に、前記表示部に表示されている前記第１の関係を有する同一の文字種の文字を選択可能とし、前記検出部により第２の接触操作が検出された場合に、前記表示部に表示されている前記第２の関係を有する異なる文字種の文字を選択可能とすることが好ましい。
【００１０】
また、前記制御部は、前記検出部により検出される前記接触文字への接触が第１の時間以上継続した場合に、前記第１の関係を有する同一の文字種の文字を前記表示部に表示させることが好ましい。
【００１１】
また、前記制御部は、前記第１の関係を有する同一の文字種の文字を前記表示部に表示させた状態で前記検出部により検出される前記接触文字への接触が第２の時間以上継続した場合に、前記第２の関係を有する異なる文字種の文字を前記表示部に表示させることが好ましい。
【００１２】
また、前記携帯電子機器において、前記入力候補として前記表示部に表示される前記いずれかの文字種とは、かな文字であり、前記接触文字と前記第１の関係を有する同一の文字種の文字とは、当該接触文字と子音が同一のかな文字であることが好ましい。
【００１３】
また、前記携帯電子機器において、前記複数の文字種に対応する文字が一のキーに対してそれぞれ割り当てられる場合に、前記接触文字と前記第２の関係を有する異なる文字種の文字とは、当該接触文字と同一のキーに割り当てられる当該接触文字とは異なる他の文字を含むことが好ましい。
【００１４】
また、前記携帯電子機器において、前記接触文字と前記第２の関係を有する異なる文字種の文字とは、当該接触文字を頭文字とする画像を含むことが好ましい。
【００１５】
本発明に係る携帯電子機器の制御方法は、上記課題を解決するために、複数の文字種のうちいずれかの文字種の文字を表示部に表示させるステップと、前記いずれかの文字種の文字に対応する箇所への接触を検出部により検出するステップと、前記表示部に表示される前記いずれかの文字種の文字への接触を前記検出部により検出した場合に、当該接触された接触文字と第１の関係を有する同一の文字種の文字及び前記接触文字と第２の関係を有する異なる文字種の文字を前記制御部により前記表示部に表示させるステップと、を備える。
【００１６】
本発明に係るプログラムは、上記課題を解決するために、表示部を有する携帯電子機器のコンピュータを機能させるための制御プログラムであって、前記コンピュータに、複数の文字種のうちいずれかの文字種の文字を前記表示部に表示させるステップと、前記いずれかの文字種の文字に対応する箇所への接触を検出させるステップと、前記表示部に表示される前記いずれかの文字種の文字への接触を検出した場合に、当該接触された接触文字と第１の関係を有する同一の文字種の文字及び前記接触文字と第２の関係を有する異なる文字種の文字を前記表示部に表示させるステップと、を実行させる。
【発明の効果】
【００１７】
本発明によれば、異なる文字種の文字入力を容易に行うことができる携帯電子機器、携帯電子機器の制御方法及びプログラムを提供することができる。
【図面の簡単な説明】
【００１８】
【図１】本実施形態に係る携帯電話機の外観斜視図である。
【図２】携帯電話機の機能構成を示すブロック図である。
【図３】本実施形態に係る表示部に表示される画面遷移例（１）を示す図である。
【図４】本実施形態に係る表示部に表示される画面例を示す図である。
【図５】本実施形態に係る表示部に表示される画面遷移例（２）を示す図である。
【図６】図３から図５に示す例の内部処理について示すフローチャート（１）である。
【図７】図３から図５に示す例の内部処理について示すフローチャート（２）である。
【発明を実施するための形態】
【００１９】
以下、本発明の実施の形態について説明する。まず、本発明の携帯電子機器の一実施形態に係る携帯電話機１の基本構造について、図１を参照しながら説明する。図１は、本実施形態に係る携帯電話機１の外観斜視図である。
【００２０】
携帯電話機１は、筺体２を備える。筺体２には、正面部に、タッチパネル１０と、マイク１３と、スピーカ１４とが配置される。
【００２１】
タッチパネル１０は、表示部１１と、検出部１２とを備える（図２参照）。表示部１１は、液晶表示パネル又は有機ＥＬ（エレクトロルミネッセンス）表示パネル等である。検出部１２は、表示部１１に対する携帯電話機１のユーザの指やタッチペン等の物体の接触を検出するセンサである。検出部１２には、表示部１１の表面に対応して配され、例えば、静電容量方式や抵抗膜方式等のセンサが利用可能である。
【００２２】
マイク１３は、携帯電話機１のユーザが通話時に発した音声を入力するために用いられる。
スピーカ１４は、携帯電話機１のユーザの通話相手が発した音声を出力するために用いられる。
【００２３】
続いて、図２を参照しながら、携帯電話機１の機能構成について説明する。図２は、携帯電話機１の機能構成を示すブロック図である。
【００２４】
携帯電話機１は、上述した、タッチパネル１０（表示部１１及び検出部１２）と、マイク１３と、スピーカ１４とを備える。また、携帯電話機１は、通信部１５と、記憶部１６と、制御部１７とを備える。
【００２５】
通信部１５は、メインアンテナ（図示省略）とＲＦ回路部（図示省略）とを備え、所定の連絡先に発信したり、通信したりする。通信部１５が発信する連絡先は、例えば、警察や消防といった緊急連絡先である。また、通信部１５が通信を行う通信先は、携帯電話機１と電話やメールの送受信を行う外部装置や、携帯電話機１がインターネットの接続を行う外部のｗｅｂサーバ等の外部装置等である。
【００２６】
通信部１５は、所定の使用周波数帯で外部装置と通信を行う。具体的には、通信部１５は、上記のメインアンテナによって受信した信号を復調処理し、処理後の信号を制御部１７に供給する。また、通信部１５は、制御部１７から供給された信号を変調処理し、上記のメインアンテナを介して外部装置（基地局）に送信する。
【００２７】
記憶部１６は、例えば、ワーキングメモリを含み、制御部１７による演算処理に利用される。また、記憶部１６は、携帯電話機１の内部で動作するアプリケーションやデータベースを１又は複数記憶する。なお、記憶部１６は、着脱可能な外部メモリを兼ねていてもよい。
【００２８】
制御部１７は、携帯電話機１の全体を制御しており、表示部１１及び通信部１５に対して制御を行う。
【００２９】
本実施形態の記憶部１６及び制御部１７は、一般的なコンピュータによって構成してもよい。一般的なコンピュータは、例えば、制御部１７として、中央処理装置（ＣＰＵ）を備え、記憶部１６として、メモリ（ＲＡＭ、ＲＯＭ）や、ハードディスク（ＨＤＤ）等を備える。このような一般的なコンピュータにおいて、制御部１７は、携帯電話機１を統括的に制御し、各種プログラムを記憶部１６から適宜読み出して実行することにより、上述した表示部１１、検出部１２、マイク１３、スピーカ１４及び通信部１５と協働し、本発明に係る各種機能を実現している。
【００３０】
本実施形態に係る携帯電話機１は、異なる文字種の文字を入力する機能を有している。以下、当該機能を実行させるための構成について説明する。
【００３１】
図２に示すように、記憶部１６は、文字入力補助アプリケーション１６１と、文字入力アプリケーション１６２とを備え、制御部１７は、アプリケーション制御部１７１と、文字入力制御部１７２とを備える。
【００３２】
文字入力補助アプリケーション１６１は、携帯電話機１において文字の入力を補助するアプリケーション・プログラム、いわゆるＩＭＥ（Ｉｎｐｕｔ  Ｍｅｔｈｏｄ  Ｅｄｉｔｏｒ）である。例えば、文字入力補助アプリケーション１６１は、入力された文字を変換したり、変換候補や入力候補を表示部１１に表示させたりする機能を有する。また、文字入力補助アプリケーション１６１は、複数の文字種（例えば、平仮名文字（かな文字）、片仮名文字（カナ文字）、英字、数字、記号、絵文字、デコレーションメール用絵文字等）に対応する文字をそれぞれ記憶している。
【００３３】
ここで、本実施形態に係る文字とは、平仮名文字、片仮名文字、漢字だけでなく、数字、英字、記号、絵文字、デコレーションメール用絵文字も含む。また、文字とは、一の文字だけでなく、文字列も含む。
【００３４】
アプリケーション制御部１７１は、例えば検出部１２への接触等に応じて、文字入力アプリケーション１６２（例えば、メモ帳アプリケーション、電子メールアプリケーション、文書作成アプリケーション等）を起動及び終了させたり、文字入力補助アプリケーション１６１を起動及び終了させたりする。
【００３５】
文字入力制御部１７２は、アプリケーション制御部１７１により起動された文字入力アプリケーション１６２において、文字入力補助アプリケーション１６１を用いて、複数の文字種のうち、いずれかの文字種の文字を入力するための複数の入力候補を表示部１１に表示させる。
【００３６】
図３は、本実施形態に係る表示部１１に表示される画面遷移例を示す図である。
図３の画面Ｄ１においては、文字入力補助アプリケーション１６１及び文字入力アプリケーション１６２が起動している。また、図３の画面Ｄ１においては、文字入力補助アプリケーション１６１によりソフトウェアキーとして第１の入力候補Ａ１が表示され、文字入力アプリケーション１６２により文字入力領域Ｂが表示されている。
【００３７】
また、画面Ｄ１において、第１の入力候補Ａ１に表示されている入力候補は、かな文字の「あ」、「か」、「さ」、「た」、「な」、「は」、「ま」、「や」、「ら」、「゛。小（入力される文字を濁音、半濁音及び促音にする）」、「わ」及び「。、？！」である。また、「ＡＢＣ」は、かな文字から英数字へ入力形態を切り替えるソフトウェアキーである。
【００３８】
画面Ｄ１において、文字入力制御部１７２は、表示部１１において、第１の入力候補Ａ１の入力候補「な」に対応する箇所への接触を検出部１２により検出すると、入力候補「な」が選択され、文字入力領域Ｂにかな文字「な」が表示される。
【００３９】
画面Ｄ１において、文字入力制御部１７２は、表示部１１において、第１の入力候補Ａ１の入力候補「な」に対応する箇所への接触を検出部１２により検出し、検出部１２により左方向へのごく短い時間の摺動操作（いわゆるフリック操作）が検出されると、入力候補「に」が選択され、文字入力領域Ｂにかな文字「に」が表示される（画面Ｄ２）。
【００４０】
また、画面Ｄ１において、文字入力制御部１７２は、第１の入力候補Ａ１として表示部１１に表示されるかな文字「な」への一定時間以上の接触を検出部１２により検出した場合に、当該接触された文字であるかな文字「な」（以下、接触文字「な」という）と第１の関係を有する同一の文字種の文字である第２の入力候補Ａ２を表示部１１に表示させる（画面Ｄ３）。
【００４１】
より詳細には、文字入力制御部１７２は、検出部１２により検出される接触文字「な」への接触が第１の時間Ｔ１以上継続した場合に、第１の関係を有する同一の文字種の文字である第２の入力候補Ａ２を表示部１１に表示させる（画面Ｄ３）。
【００４２】
ここで、接触文字「な」と第１の関係を有する同一の文字種の文字である第２の入力候補Ａ２とは、接触文字「な」と子音が同一のかな文字「に」、「ぬ」、「ね」及び「の」である。
【００４３】
画面Ｄ３において、文字入力制御部１７２は、第１の関係を有する同一の文字種の文字である第２の入力候補Ａ２を表示部１１に表示させた状態で、検出部１２により検出される接触文字への接触が第２の時間Ｔ２以上継続した場合に、第２の関係を有する異なる文字種の文字である第３の入力候補Ａ３を表示部１１に表示させる（画面Ｄ４）。
【００４４】
より詳細には、文字入力制御部１７２は、第１の関係を有する同一の文字種の文字である第２の入力候補Ａ２を、接触文字「な」を中心とする放射状に表示させ、かつ第２の関係を有する異なる文字種の文字である第３の入力候補Ａ３を、第１の関係を有する文字よりも外側で接触文字「な」を中心とする放射状に表示させる（画面Ｄ４）。
【００４５】
ここで、接触文字「な」と第２の関係を有する異なる文字種の文字である第３の入力候補Ａ３とは、複数の文字種に対応する文字が一のキーに対してそれぞれ割り当てられる場合に、接触文字「な」と同一のキーに割り当てられる他の文字を含む。具体的には、図４の画面Ｄ８に示すように、表示部１１に複数の文字種に対応する仮想的なキーが表示されており、一のキーに対してそれぞれ、かな文字、数字、英字及び記号が割り当てられる場合に、接触文字「な」と同一のキーに割り当てられる当該接触文字「な」とは異なる数字「５」及び英字「Ｊ、Ｋ、Ｌ」を含む。
【００４６】
さらに、第３の入力候補Ａ３は、接触文字「な」を頭文字とする画像も含む。具体的には、第３の入力候補Ａ３は、図３の画面Ｄ４に示すような接触文字「な」を頭文字とする絵文字「泣き笑い」、「涙」及び「なす」である。また、第３の入力候補Ａ３は、絵文字だけでなく、デコレーションメール用の絵文字を含んでいてもよく、画面Ｄ４に示すような顔文字「（ノ＿−。）」で含んでいてもよい。
【００４７】
画面Ｄ４において、文字入力制御部１７２は、検出部１２により上下左右のいずれかの方向へのごく短い時間の摺動操作（いわゆるフリック操作）が検出された場合に、表示部１１に表示されている第１の関係を有する同一の文字種の文字である第２の入力候補Ａ２を選択可能とする。
【００４８】
また、画面Ｄ４において、文字入力制御部１７２は、検出部１２により一定時間以上継続する摺動操作（いわゆるスワイプ操作）が検出された場合に、表示部１１に表示されている第２の関係を有する異なる文字種の文字である第３の入力候補Ａ３を選択可能とする。
【００４９】
画面Ｄ４において、文字入力制御部１７２は、第１の入力候補Ａ１の入力候補「な」に対応する箇所へ接触が解除されると、入力候補「な」が選択され、文字入力領域Ｂにかな文字「な」が表示（入力）される（画面Ｄ５）。なお、文字入力制御部１７２は、文字入力領域Ｂにかな文字「な」が表示（入力）された後に、第２の入力候補Ａ２及び第３の入力候補Ａ３の表示を解除する。
【００５０】
また、画面Ｄ４において、文字入力制御部１７２は、第２の入力候補Ａ２の入力候補「に」に対応する箇所へ接触が検出されると、入力候補「に」が選択され、文字入力領域Ｂにかな文字「に」が表示される（画面Ｄ６）。
【００５１】
また、画面Ｄ４において、文字入力制御部１７２は、第２の関係を有する異なる文字種の文字である第３の入力候補Ａ３の入力候補「Ｊ」に対応する箇所へ接触が検出されると、入力候補「Ｊ」が選択され、文字入力領域Ｂに英字「Ｊ」が表示される（画面Ｄ７）。
【００５２】
そして、文字入力制御部１７２は、第３の入力候補Ａ３の英字「Ｊ」への接触を検出部１２により検出した場合に、第１の入力候補Ａ１に替えて、接触が検出された英字「Ｊ」と同一の文字種の文字、つまり英字を入力するための第２の入力候補Ａ２を表示部１１に表示させる（図５の画面Ｄ７及び画面Ｄ９）。
【００５３】
このように本実施形態の携帯電話機１によれば、文字入力制御部１７２は、第１の入力候補Ａ１として表示部１１に表示されるかな文字「な」への一定時間以上の接触を検出部１２により検出した場合に、当該接触文字「な」と第１の関係を有する同一の文字種の文字である第２の入力候補Ａ２及び接触文字「な」と第２の関係を有する異なる文字種の文字である第３の入力候補Ａ３を表示部に表示させる。
【００５４】
これにより、携帯電話機１は、接触文字だけでなく、接触文字と第１の関係を有する同一の文字種の文字及び接触文字と第２の関係を有する異なる文字種の文字を表示部１１に表示させる。したがって、ユーザは、接触文字と第１の関係を有する同一の文字種の文字又は接触文字と第２の関係を有する異なる文字種を選択することにより、異なる文字種の文字入力を容易に行うことできる。
【００５５】
また、文字入力制御部１７２は、第１の関係を有する同一の文字種の文字である第２の入力候補Ａ２を、接触文字「な」を中心とする放射状に表示させ、かつ第２の関係を有する異なる文字種の文字である第３の入力候補Ａ３を、第１の関係を有する文字よりも外側で接触文字「な」を中心とする放射状に表示させる（画面Ｄ４）。これにより、ユーザは、接触文字を表示させた状態からの同一の文字種の文字及び異なる文字種の文字を視認しつつ、同一の文字種の文字又は異なる文字種の文字の選択を容易に行うことができる。
【００５６】
また、文字入力制御部１７２は、第３の入力候補Ａ３の英字「Ｊ」への接触を検出部１２により検出した場合に、第１の入力候補Ａ１に替えて、接触が検出された英字「Ｊ」と同一の文字種の文字、つまり英字を入力するための第２の入力候補Ａ２を表示部１１に表示させる（図５の画面Ｄ７及び画面Ｄ９）。これにより、ユーザは第２の入力候補Ａ２（かな文字）から接触が検出された文字と同一の文字種の文字、つまり英字を入力することができる。したがって、例えば、かな文字の入力候補から、英字の入力候補に切り替わるため、英字を連続して入力することができる。
【００５７】
文字入力制御部１７２は、検出部１２により上下左右のいずれかの方向へのごく短い時間の摺動操作（いわゆるフリック操作）が検出された場合に、表示部１１に表示されている第１の関係を有する同一の文字種の文字である第２の入力候補Ａ２を選択可能とする。また、文字入力制御部１７２は、検出部１２により一定時間以上継続する摺動操作（いわゆるスワイプ操作）が検出された場合に、表示部１１に表示されている第２の関係を有する異なる文字種の文字である第３の入力候補Ａ３を選択可能とする。
【００５８】
これにより、ユーザは第１の関係を有する同一の文字種の文字と第２の関係を有する異なる文字種の文字とを異なる操作態様により選択することができる。また、上述したフリック操作を指１本での操作に替えてもよく、上述したスワイプ操作を指２本での操作に替えてもよい。
【００５９】
また、文字入力制御部１７２は、検出部１２により検出される接触文字「な」への接触が第１の時間Ｔ１以上継続した場合に、第１の関係を有する同一の文字種の文字である第２の入力候補Ａ２を表示部１１に表示させる（画面Ｄ３）。これにより、ユーザは接触文字の選択と第１の関係を有する同一の文字種の文字の表示とを明確に区別して選択することができる。
【００６０】
また、文字入力制御部１７２は、第１の関係を有する同一の文字種の文字である第２の入力候補Ａ２を表示部１１に表示させた状態で、検出部１２により検出される接触文字への接触が第２の時間Ｔ２以上継続した場合に、第２の関係を有する異なる文字種の文字である第３の入力候補Ａ３を表示部１１に表示させる（画面Ｄ４）。これにより、ユーザは第１の関係を有する同一の文字種の文字の表示と、第２の関係を有する異なる文字種の文字とを明確に区別して選択することができる。
【００６１】
また、上述したように、第１の入力候補として表示部１１に表示される文字種とは、かな文字であり、接触文字と第１の関係を有する同一の文字種の文字とは、当該接触文字と子音が同一のかな文字であることが好ましい。これにより、ユーザはかな文字の入力を容易に行うことができる。
【００６２】
また、接触文字「な」と第２の関係を有する異なる文字種の文字である第３の入力候補Ａ３とは、複数の文字種に対応する文字が一のキーに対してそれぞれ割り当てられる場合に、接触文字「な」と同一のキーに割り当てられる当該接触文字「な」とは異なる他の文字を含む。例えば、「な」と「Ｊ、Ｋ、Ｌ」とが割り当てられている場合には、接触文字が「な」の場合、第２の関係を有する異なる文字種の文字として「Ｊ、Ｋ、Ｌ」が表示される。これにより、ユーザは接触文字と同一のキーに割り当てられる他の文字を容易に入力することができる。
【００６３】
また、接触文字「な」と第２の関係を有する異なる文字種の文字である第３の入力候補Ａ３は、接触文字「な」を頭文字とする画像を含む。これにより、ユーザは接触文字を頭文字とする画像を含んでいる絵文字やデコレーションメール用の絵文字等を容易に入力することができる。
【００６４】
図６及び図７は、図３から図５に示す例の内部処理について示すフローチャートである。
ステップＳ１において、文字入力制御部１７２は、表示部１１において、第１の入力候補Ａ１に対応する箇所への接触を検出部１２により検出したか否かを判定する。第１の入力候補Ａ１に対応する箇所への接触を検出した場合（ＹＥＳ）には、ステップＳ２へ進む。第１の入力候補Ａ１に対応する箇所への接触を検出しなかった場合（ＮＯ）には、再度ステップＳ１の処理を繰り返す。
【００６５】
ステップＳ２において、文字入力制御部１７２は、検出部１２により上下左右のいずれかの方向へのごく短い時間の摺動操作（いわゆるフリック操作）が検出されたか否かを判定する。フリック操作が検出された場合（ＹＥＳ）には、ステップＳ５へ進む。フリック操作が検出されなかった場合（ＮＯ）には、ステップＳ３へ進む。
【００６６】
ステップＳ３において、文字入力制御部１７２は、第１の入力候補Ａ１への接触が第１の時間Ｔ１以上継続したか否かを判定する。接触が第１の時間Ｔ１以上継続した場合（ＹＥＳ）には、ステップＳ５へ進む。接触が第１の時間Ｔ１以上継続しなかった、つまり第１の時間Ｔ１以内に接触を解除した場合（ＮＯ）には、ステップＳ４へ進む。
【００６７】
ステップＳ４において、文字入力制御部１７２は、第１の入力候補Ａ１の文字の選択を確定し、処理を終了する。
【００６８】
ステップＳ５において、文字入力制御部１７２は、第１の関係を有する同一の文字種の文字である第２の入力候補Ａ２を表示部１１に表示させる（画面Ｄ３）。
【００６９】
ステップＳ６において、文字入力制御部１７２は、第２の入力候補Ａ２に対応する箇所への接触を検出部１２により検出したか否かを判定する。第２の入力候補Ａ２に対応する箇所への接触を検出した場合（ＹＥＳ）には、ステップＳ７へ進む。第２の入力候補Ａ２に対応する箇所への接触を検出しなかった場合（ＮＯ）には、ステップＳ８へ進む。
【００７０】
ステップＳ７において、文字入力制御部１７２は、第２の入力候補Ａ２の文字の選択を確定し、処理を終了する。
【００７１】
ステップＳ８において、文字入力制御部１７２は、第１の入力候補Ａ１への接触が第２の時間Ｔ２以上継続したか否かを判定する。接触が第２の時間Ｔ２以上継続した場合（ＹＥＳ）には、ステップＳ１０（図７参照）へ進む。接触が第２の時間Ｔ２以上継続しなかった、つまり第２の時間Ｔ２以内に接触を解除した場合（ＮＯ）には、ステップＳ９へ進む。
【００７２】
ステップＳ９において、文字入力制御部１７２は、第１の入力候補Ａ１の文字の選択を確定し、処理を終了する。
【００７３】
ステップＳ１０において、文字入力制御部１７２は、第２の関係を有する異なる文字種の文字である第３の入力候補Ａ３を表示部１１に表示させる（画面Ｄ４）。
【００７４】
ステップＳ１１において、文字入力制御部１７２は、第３の入力候補Ａ３に対する検出部１２により一定時間以上継続する摺動操作（いわゆるスワイプ操作）が検出されたか否かを判定する。スワイプ操作が検出された場合（ＹＥＳ）には、ステップＳ１２へ進む。スワイプ操作が検出されなかった場合（ＮＯ）には、再度ステップＳ１１の処理を繰り返す。
【００７５】
ステップＳ１２において、文字入力制御部１７２は、第３の入力候補Ａ３の文字の選択を確定し、処理を終了する。このように本実施形態の携帯電話機１によれば、ユーザは、接触文字と第１の関係を有する同一の文字種の文字又は接触文字と第２の関係を有する異なる文字種を選択することにより、異なる文字種の文字入力を容易に行うことできる。
【００７６】
以上、本発明の実施形態について説明したが、本発明は上述した実施形態に制限されるものではなく、適宜変更が可能である。また、上述した実施形態において、携帯電子機器としての携帯電話機１について説明したが、他の電子機器にも適用可能である。例えば、本発明の携帯電子機器は、デジタルカメラ、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【符号の説明】
【００７７】
１  携帯電話機
１０  タッチパネル
１１  表示部
１２  検出部
１６  記憶部
１７  制御部
１６１  文字入力補助アプリケーション
１６２  文字入力アプリケーション
１７１  アプリケーション制御部
１７２  文字入力制御部
【図１】
2012084086.tif 000003
【図２】
2012084086.tif 000004
【図３】
2012084086.tif 000005
【図４】
2012084086.tif 000006
【図５】
2012084086.tif 000007
【図６】
2012084086.tif 000008
【図７】
2012084086.tif 000009